(57)【要約】【課題】  使用場所の制約がなく、種々の態様で手軽に利用でき、子供が楽しく遊んだり、老人や肢体の不自由な人が軽い運動や機能回復運動を興趣をもって無理なく行え、製作も容易に行えるようにする。【解決手段】  リング状遊戯具１は、弾力性および柔軟性を有する材料で製作され、中央に円形のリング穴２ｂを設けた平板状の環状ディスク２の外周部に、該環状ディスク２の半径方向に突き出した突出部３が、環状ディスク２の周方向に一定間隔をあけて複数設けられると共に、前記突出部３の外周面３ａが環状ディスク２の周方向に向く同一の円周に沿う円弧状面に形成され、前記リング穴２ｂの外周側にリング穴２ｂより小さい小穴４が周方向に間隔をあけて複数個設けられた構成とされている。【選択図】      図１
2006255338.tif 000002
【特許請求の範囲】
【請求項１】
弾力性および柔軟性を有する材料で製作され、中央に円形状のリング穴を設けた平板状の環状ディスクの外周部に、該環状ディスクの半径方向に突き出した突出部が、環状ディスクの周方向に間隔をあけて複数設けられると共に、前記突出部の外周面が環状ディスクの周方向に向く同一の円周に沿う円弧状面に形成されていることを特徴とするリング状遊技具。
【請求項２】
前記環状ディスクには、前記リング穴より小さい小穴が、該リング穴の外側において環状ディスクの周方向に沿って間隔をあけて複数個設けられていることを特徴とする請求項１に記載のリング状遊技具。
【請求項３】
前記環状ディスクは、厚さが１０〜５０ｍｍ、外径が１００〜５００ｍｍに設定されていることを特徴とする請求項１または２に記載のリング状遊技具。
【発明の詳細な説明】
【技術分野】
【０００１】
本発明は、空中に飛ばしたり床面や地面に転がしたりして、子供が遊んだり、老人や肢体の不自由な人が軽い運動や機能回復運動をするのに好適なリング状遊技具に関するものである。
【背景技術】
【０００２】
従来、空中に飛ばして遊んだり競技をするリング状または円盤状の遊技具として、リング構成部の上面側が凸曲面となるように湾曲された横断面形状を有するリング本体の外周部に、外側に僅かに突き出した凸状部を周方向に等間隔をあけて４つ設けてなる飛行リングが知られている（例えば、特許文献１参照）。また、側面視で中央部が厚く外周側に行くに従って薄くなり、外周部が円弧状に丸みを付けられたディスク本体の外周部に、外側に突き出した凸状部を周方向に複数個一体に形成してなり水上で使用するディスク状遊技具が知られている（例えば、特許文献２参照）。また、外周部のリングと中央部の円板とを、半径方向に延長され周方向に不等間隔をあけて配置された複数の連結片で結合して、前記円板の回りに大きさの異なる複数の穴部を設けてなる輪投げ用円盤が知られている（例えば、特許文献３参照）。さらに、弾性線材で環状に形成されたリングの内側に、該リングの半径方向に設けた軸回りに回転する扇形の羽根を複数個設けてなる飛行遊技具も知られている（例えば、特許文献４参照）。
【特許文献１】特開２００３−２６５６６４号公報
【特許文献２】特開２００２−１７９２６号公報
【特許文献３】特開２００２−９５７８１号公報
【特許文献４】登録実用新案第３０８３６５４号公報
【発明の開示】
【発明が解決しようとする課題】
【０００３】
しかし、前記飛行リングは、比較的硬い合成樹脂材料で製作されたリング本体の空気力学的な形状によって飛行到達距離と飛行高さが大きくなるようにして、健常者が屋外で遊んだり、競技をしたりすることを目的とするものであり、屋内等で子供、老人や肢体の不自由な人が手軽に利用できないと共に、形状が複雑であり製作も難しい。また、前記ディスク状遊技具は、ディスク本体の外周に突き出した凸状部が、ディスク本体の軸に沿う方向に適度な厚さ（幅）で、周方向に同一の円周に沿う円弧面とした外周面が形成されていないので、床面や地面を転がすことができず、ディスク本体が円盤状であって折り曲げ難く、利用範囲が限定される。また、前記輪投げ用円盤は、比較的硬質の材料で製作されるものであり、リングの外周が単純な円周面であり、リングの飛行の状態を楽しむことはできず、輪投げに限定されるものである。さらに、前記飛行遊技具は、羽根の作用で高く飛ばすことができるが、中央部に羽根があるので、飛行する飛行遊技具を手指でなく腕で受け取るといった使い方ができない上に、高く飛ぶので屋内で利用するには不向きであり、また、構造が複雑であり容易に製作することができない。
【０００４】
本発明は、上記事情に鑑みてなされたものであって、使用場所の制約がなく、種々の態様で手軽に利用することができ、子供が楽しく遊んだり、老人や肢体の不自由な人が軽い運動や機能回復運動を興趣をもって無理なく行うことができ、製作が容易であるリング状遊技具を提供することを目的とする。
【課題を解決するための手段】
【０００５】
本発明は、前記課題を解決するために、以下の点を特徴としている。
すなわち、請求項１に係るリング状遊技具は、弾力性および柔軟性を有する材料で製作され、中央に円形状のリング穴を設けた平板状の環状ディスクの外周部に、該環状ディスクの半径方向に突き出した突出部が、環状ディスクの周方向に間隔をあけて複数設けられると共に、前記突出部の外周面が環状ディスクの周方向に向く同一の円周に沿う円弧状面に形成されていることを特徴としている。
【０００６】
請求項２に係るリング状遊技具は、請求項１に記載のリング状遊戯具において、前記環状ディスクに、前記リング穴より小さい小穴が、該リング穴の外側において環状ディスクの周方向に沿って間隔をあけて複数個設けられていることを特徴としている。
【０００７】
請求項３に係るリング状遊技具は、請求項１または２に記載のリング状遊戯具において、前記環状ディスクが、厚さを１０〜５０ｍｍ、外径を１００〜５００ｍｍに設定されていることを特徴としている。
【発明の効果】
【０００８】
本発明は以下の優れた効果を奏する。
すなわち、請求項１に係るリング状遊技具によれば、環状ディスクの外周に、外周面が同一の円周に沿う円弧状面に形成された突出部が周方向に間隔をあけて複数設けられているので、リング状遊技具を回転させながら飛ばしたときに、突出部が空気をよぎることにより環状ディスクの飛行に微妙な変化を生じさせると共に、突出部の側面が見え隠れして外周部に視覚的変化が生じて使用者に興趣を感じさせることができる。
また、環状ディスクの中央部にリング穴が設けられているので、手指でリング状遊技具を掴んで受け取ることができない場合でも、前記リング穴に腕を差し込んで受け取ることができると共に、前記リング穴を輪投げ用受け台の受け棒に投げ入れる穴として利用し、リング状遊技具を輪投げの投擲用リングとして使用することができる。
さらに、環状ディスクが弾力性および柔軟性を有する材料で製作されているので、リング状遊技具を適宜にかつ容易に折り曲げることができ、手指を動かす動作の機能回復に役立てることができると共に、２つ折り、４つ折り等に折り曲げた状態で飛ばすことにより、リング状遊技具の飛行に変化を持たせることができる。そして、環状ディスクは軽量で平板状に形成され、格別の揚力を高める部材が付加されていないので、飛行の距離や高さが限られ、屋外は勿論、室内の比較的狭い場所でも使用することができる。
したがって、リング状遊技具を使用場所の制約がなく、種々の態様で手軽に利用することができ、子供が楽しく遊んだり、老人や肢体の不自由な人が軽い運動や機能回復運動を楽しく、無理なく行うことができると共に、製作も容易である。
【０００９】
また、請求項２に係るリング状遊技具によれば、小穴の存在によって環状ディスクが折り曲げ易くなると共に、小穴に指を挿入して環状ディスクを掴むことができ、リング状遊技具の飛ばし方に変化を持たせることができる。更にまた、勢いよく飛ばすことによって小穴と外周に形成された突出部が空気をよぎることにより音が発生し、使用者に興趣を一層強く感じさせることができる。
また、請求項３に係るリング状遊技具によれば、環状ディスクの厚さと外径の大きさが適切なものとなって扱い易く、床面や地面を転がして遊ぶ場合に、環状ディスクの厚さが有効に作用してリング状遊技具の転倒を防止して遠方まで到達させることができる。
【発明を実施するための最良の形態】
【００１０】
以下、本発明の一実施の形態に係るリング状遊技具について図１、図２を参照して説明する。図１、図２において、１は一実施の形態に係るリング状遊技具である。このリング状遊技具１は、合成ゴム、スポンジ等の弾力性および柔軟性を有する材料で製作され、中央にディスク面２ａ，２ａに貫通する大径（直径Ｄ）の円形のリング穴２ｂを設けた所定厚さｔの平板状の環状ディスク２を備えている。該環状ディスク２の外周部には、該外周部に前記リング穴２ｂの中心Ｃと同心の円弧面２ｅを有する歯車の歯溝状の凹部２ｃを形成することにより、環状ディスク２の半径方向に突き出した突出部３が、環状ディスク２の周方向に等間隔をあけて複数個（図示の例では８個）設けられている。前記各突出部３の外周面３ａは前記環状ディスク２の周方向に向き、前記リング穴２ｂの中心Ｃと同心である一つの円周Ｓに沿う円弧面に形成されている。前記突出部３の環状ディスク２の周方向における間隔は、等間隔とするのが好ましいが、これに限定されず、不等間隔であってもよい。
【００１１】
前記突出部３の平面視（図１）の形状は、環状ディスク２の凹部２ｃの円弧面２ｅ側が広くなった台形状（歯車の歯状）となっており、前記外周面３ａの弧長Ｌが突出部３の無い部分の弧長Ｌ１と同程度（前記円周Ｓの周長を突出部３の数の２倍で除した長さ）もしくはそれよりやや短くされている。逆に前記外周面３ａの弧長Ｌを突出部３の無い部分の弧長Ｌ１より長くしてもよい。
また、前記環状ディスク２には、前記リング穴２ｂより小さな直径ｄを有する複数個（図示の例では８個）の円形の小穴４が、リング穴２ｂの外側において環状ディスク２の周方向に沿って一定間隔をあけて（前記突出部３の位置に合わせて）配置され、前記ディスク面２ａ，２ａを貫通して設けられている。
【００１２】
前記環状ディスク２は、リング状遊技具１の使用対象者によって適切な大きさのものを選定し得るように種々の大きさのものが用意されるが、その場合、前記厚さｔが１０〜５０ｍｍ、外径Ｄ１が１００〜５００ｍｍの範囲に設定される。また、前記リング穴２ｂの直径Ｄが７０〜３００ｍｍ、前記小穴４の直径ｄが１５〜６０ｍｍ、リング部２ｄの幅Ｈが１５〜１００ｍｍ、突出部３の高さｈが１０〜８０ｍｍに設定される。
なお、前記環状ディスク２の前記リング穴２ｂと小穴４の内周における両ディスク面２ａ，２ａ側の角部、および前記突出部３と前記凹部２ｃの縁部には面取り加工が施されている。また、突出部３の外周面３ａと側面３ｂとが交叉する角部３−１，３−１は大き目の面取りを施してもよい。
【００１３】
前記構成の一実施の形態に係るリング状遊技具１を使用する場合は、例えば、二人の使用者が適当な距離を隔てた位置に立って対面し、一方の使用者がリング状遊技具１のリング部２ｄや突出部３を手指に掴んで、相手側の使用者に向かって投げる。相手側の使用者は飛来するリング状遊技具１のリング部２ｄや突出部３を手指で掴み取ったり、リング穴２ｂに腕を差し込んで受け取る。
リング状遊技具１の投げ方としては、一定方向からだけでなく、手を体の上下、左右からスナップを付け、または付けないで繰り出して、上下、左右、斜めといった種々の方向から投げ、環状ディスク２の軸心回りに、または環状ディスク２の直径方向の軸回りに回転させながら飛ばすことができる。
また、こつが要るが、リング状遊技具１を手前から押し出すようにして回転させないで飛ばすこともできる。
さらに、リング状遊技具１を２つ折り、４つ折りにして投げることもできる。このようにすると、リング状遊技具１が投げた人の手を放れて飛行する途中で開く際に、飛行状態が変化して相手側への到達位置が異なってくる。また、上空に投げられて落下してくるリング状遊技具１を受け取る遊び方もできる。
【００１４】
また、使用者が一人で、身体の左右から一方の片手で上方に放り投げ、落下するリング状遊技具１を他方の手で受け取るといった遊び方もできる。さらに、前記リング状遊技具１は単に投げるだけはでなく、環状ディスク２の中央にリング穴２ｂが設けられているので、輪投げ用のリングとしても利用することができると共に、環状ディスク２ｄの突出部３の外周面３ａが同一の円周に沿う円弧面となっているので、床面もしくは地面で転がして遊ぶこともできる。その際、前記リング状遊技具１が回転中は、前記環状ディスク２の外周に突出部３の側面３ｂが見え隠れして綺麗に見え、該側面３ｂに色模様を着けると一層その綺麗さが増すと共に、前記突出部３が空気をよぎることにより環状ディスク２の飛行に微妙な変化を生じさせる。
【００１５】
前記使用者は、交互にリング状遊技具１を折り曲げたり、空中に投げたり、または床面、地面に転がしたり、それを受け取ったりする際には、種々の投げ方をする姿勢をとるために身体や手、腕を動かしたり、また、飛来したり転動して向かって来るリング状遊技具１を受け取るために、その位置や状態の変化に追従して身体の位置を移動させたり、姿勢や腕、手を動かそうとすることにより、自然と身体の適度の運動が図られることとなり、特に、肢体の不自由な人にとっては前記運動が機能回復を促進するものとなる。
そして、前記リング状遊技具１は環状ディスク２が柔軟性材料で製作されているので、子供や老人、肢体の不自由な人でも安心して使用することができる。
【００１６】
以上説明したように、前記実施の形態に係るリング状遊技具１は、弾力性および柔軟性を有する材料で製作され、中央に円形のリング穴２ｂを設けた平板状の環状ディスク２の外周部に、該環状ディスク２の半径方向に突き出した突出部３が、環状ディスク２の周方向に間隔をあけて複数設けられると共に、前記突出部３の外周面３ａが環状ディスク２の周方向に向く同一の円周Ｓに沿う円弧面に形成された構成とされている。
【００１７】
そのため、前記実施の形態に係るリング状遊技具１によれば、該リング状遊技具１を回転させながら飛ばしたときに、前記環状ディスク２の外周に設けた突出部３が空気をよぎることにより環状ディスク２の飛行に微妙な変化を生じさせると共に、前記突出部３の側面３ｂが見え隠れして環状ディスク２の外周部に視覚的変化が生じて使用者に興趣を感じさせることができる。
また、手指でリング状遊技具１を掴んで受け取ることができない場合でも、前記環状ディスク２のリング穴２ｂに腕を差し込んで受け取ることができると共に、前記リング穴２ｂを輪投げ用受け台の受け棒に投げ入れる穴として利用し、リング状遊技具１を輪投げの投擲用リングとして使用することができる。
さらに、環状ディスク２が弾力性および柔軟性を有する材料で製作されているので、リング状遊技具１を適宜にかつ容易に折り曲げることができ、手指を動かす動作の機能回復に役立てることができると共に、２つ折り、４つ折り等に折り曲げた状態で飛ばすことにより、リング状遊技具１の飛行に変化を持たせることができる。そして、環状ディスク２は軽量で平板状に形成され、格別の揚力を高める部材が付加されていないので、飛行の距離や高さが限られ、屋外は勿論、室内の比較的狭い場所でも使用することができる。
したがって、リング状遊技具１を使用場所の制約がなく種々の態様で手軽に利用することができ、子供が楽しく遊んだり、老人や肢体の不自由な人が軽い運動や機能回復運動を楽しく、無理なく行うことができると共に、製作も容易である。
【００１８】
また、前記実施の形態に係るリング状遊技具１によれば、前記環状ディスク２に、前記リング穴２ｂより小さい小穴４が、該リング穴２ｂの外側において環状ディスク２の周方向に沿って間隔をあけて複数個設けた構成とされているので、前記小穴４の存在によって環状ディスク２が折り曲げ易くなると共に、小穴４に指を挿入して環状ディスク２を掴むことができ、リング状遊技具１の飛ばし方に変化を持たせることができる。更にまた、勢いよく飛ばすことによって小穴４と外周に形成された突出部３が空気をよぎることにより音が発生し、使用者に興趣を一層強く感じさせることができる。
さらに、前記環状ディスク２が、厚さｔを１０〜５０ｍｍ、外径Ｄ１を１００〜５００ｍｍに設定された構成とされているので、環状ディスク２の厚さｔと外径の大きさが適切なものとなって扱い易く、床面や地面を転がして遊ぶ場合に、環状ディスクの厚さｔが有効に作用してリング状遊技具１の転倒を防止して遠方まで到達させることができる。
前記環状ディスク２の厚さｔが前記厚さの下限値より小さいと、リング状遊技具１が横に転倒し易くなり、相手側の使用者の位置まで到達させることができず、前記上限値より大きいと、折り曲げ難くなり、手指の不自由者には負担が掛かり過ぎることとなる。また、環状ディスク２の外径Ｄ１が前記下限値より小さいと、子供や肢体の不自由な人であっても、運動能力上の負担が軽微となり過ぎて機能回復の励みにならず興趣が減退し、前記上限よりも大きいと子供や肢体の不自由な人には扱い難くなる。
【００１９】
次に、図３、図４は第２の実施の形態に係るリング状遊技具１Ａを示す。このリング状遊技具１Ａは、前記一実施の形態に係るリング状遊技具１が、環状ディスク２の外周に歯車の歯溝状の凹部２ｃを形成することにより、歯車の歯状の突出部３を形成したのに対して、環状ディスク２の外周に形成する凹部２ｃ１を円弧状凹部とすることにより、環状ディスク２の外周に周方向に一定間隔をあけて富士山状の突出部３Ａを形成したものである。その他の構成は前記リング状遊技具１と同様であるので、同一の構成部分には同一の符号を付して、それらについての説明は省略する。
前記リング状遊技具１Ａにおいては、前記突出部３Ａが５個設けられ、該突出部３Ａの周長Ｌが突出部３Ａ，３Ａの相互間の周長Ｌ１の略半分に設定されているが、前記周長Ｌは、リング状遊技具１Ａを安定して転がり易くするためには、前記突出部３Ａ，３Ａの相互間の周長Ｌ１と同程度とするのがよい。
この実施の形態に係るリング状遊技具１Ａにおいても、前記実施の形態に係るリング状遊技具１と同様に使用することより、同様の作用効果を奏することができる。
【００２０】
次に、図５は第３の実施の形態に係るリング状遊技具１Ｂを示す。このリング状遊技具１Ｂは、環状ディスク２の外周に周方向に三角形状の凹部２ｃ２を複数設けて、それらの間に外周面３ａを円周Ｓに沿う円弧面とし、その周長Ｌを突出部３，３の相互間の周長Ｌ１より長くした前記リング状遊技具１と同様な歯車の歯状の突出部３を形成したものである。その他の構成は前記リング状遊技具１と同様であるので、同一の構成部分には同一の符号を付して、それらについての説明は省略する。この実施の形態に係るリング状遊技具１Ｂにおいても、前記実施の形態に係るリング状遊技具１と同様に使用することより、同様の作用効果を奏することができる。
次に、図６は第４の実施の形態に係るリング状遊技具１Ｃを示す。このリング状遊技具１Ｃは、環状ディスク２の外周に、前記リング状遊技具１の歯車の歯状の突出部３の周方向の両端部を直線で結んで外周面３ａ１を円弧面とせずに平面とした台形状の突出部３Ｃを形成したものである。その他の構成は前記リング状遊技具１と同様であるので、同一の構成部分には同一の符号を付して、それらについての説明は省略する。この実施の形態に係るリング状遊技具１Ｃにおいても、前記実施の形態に係るリング状遊技具１と同様に使用することより、同様の作用効果を奏することができる。
【００２１】
次に、図７は第５の実施の形態に係るリング状遊技具１Ｄを示す。このリング状遊技具１Ｄは、環状ディスク２の外周に、前記リング状遊技具１の歯車の歯状の突出部３の周方向の両端部における二つの接線で結んで外周面３ａ２を円弧面とせずに扁平な山形面とした突出部３Ｄを形成したものである。その他の構成は前記リング状遊技具１と同様であるので、同一の構成部分には同一の符号を付して、それらについての説明は省略する。この実施の形態に係るリング状遊技具１Ｄにおいても、前記実施の形態に係るリング状遊技具１と同様に使用することより、同様の作用効果を奏することができる。
前記リング状遊技具１Ｃ，１Ｄの突出部３Ｃ，３Ｄの平面、山形面とした外周面３ａ１，３ａ２は、環状ディスク２の全体から見ると、環状ディスク２の周方向に向く同一の円周Ｓに沿う一定周長（一定長さ）Ｌを有する円弧状面に形成されていると見なすことができ、本発明においては前記外周面３ａ１，３ａ２の円弧状面と前記リング状遊技具１，１Ａの突出部３における外周面３ａの円弧面を共に円弧状面に含めるものとする。
【００２２】
なお、前記実施の形態に係るリング状遊技具１，１Ａ，１Ｂ，１Ｃ，１Ｄにおいては、前記環状ディスク２の中央に設けるリング穴を円形穴として形成するのが好ましいが、該リング穴は円形穴に限らず、正四角形以上の正多角形の角部を丸みを付けて円形穴に近い形状の穴（円形状穴）に形成してもよい。また、前記突出部３，３Ｃ，３Ｄと突出部３Ａを環状ディスク２の外周部に８個と５個設けたが、前記突出部３，３Ｃ，３Ｄ，３Ａの個数は前記個数に限らず、他の個数であってもよい。
ただし、突出部３，３Ｃ，３Ｄ，３Ａの個数があまり多いと、突出部が連続したものに近い状態となって、回転しながら飛行するリング状遊技具１，１Ａ，１Ｂ，１Ｃ，１Ｄの外周部の視覚的変化が少くなって興趣が減少し、また、少な過ぎると、リング状遊技具１，１Ａ，１Ｂ，１Ｃ，１Ｄを転がしたとき、円滑に転がらずに直ぐに転倒してしまう。
【００２３】
また、前記環状ディスク２のリング穴２ｂの外側に設ける小穴４を円形の貫通穴として形成したが、該小穴４は貫通穴とせずに、ディスク面２ａ，２ａのいずれか一方の面に有底の凹部として形成してもよく、環状ディスク２の厚さｔが大きい場合には、ディスク面２ａ，２ａの両方に有底の凹部として形成してもよい。小穴４の形状も円形に限らず、多角形状、楕円形状に形成してもよく、その場合、小穴４の直径ｄは、該小穴４を外接する円の直径をいうものとする。リング状遊技具１，１Ａ，１Ｂ，１Ｃ，１Ｄの凹部からなる小穴４も貫通穴からなる小穴４とほぼ同様に扱って遊ぶことができる。
なお、前記リング状遊技具１，１Ａを床面や地面で使用する場合について説明したが、環状ディスク２を水に浮かぶ素材もしくは独立気泡を存在させた材料で製作する場合には、床面や地面での使用に限らず、プールや海の中でも使用することができる。
【図面の簡単な説明】
【００２４】
【図１】本発明の第１の実施の形態に係るリング状遊技具を一部断面で示す平面図である。
【図２】同じく正面図である。
【図３】本発明の第２の実施の形態に係るリング状遊技具を示す平面図である。
【図４】同じく正面図である。
【図５】本発明の第３の実施の形態に係るリング状遊技具を示す平面図である。
【図６】本発明の第４の実施の形態に係るリング状遊技具を示す平面図である。
【図７】本発明の第５の実施の形態に係るリング状遊技具を示す平面図である。
【符号の説明】
【００２５】
１，１Ａ，１Ｂ，１Ｃ，１Ｄ  リング状遊技具
２  環状ディスク
２ａ  ディスク面
２ｂ  リング穴
２ｃ，２ｃ１，２ｃ２  凹部
２ｄ  リング部
３，３Ａ，３Ｃ，３Ｄ  突出部
３ａ，３ａ１，３ａ２  外周面
３ｂ  側面  
４  小穴  
Ｃ  中心  
Ｄ，ｄ  直径  
Ｄ１  外径  
ｔ  厚さ
【図１】
2006255338.tif 000003
【図２】
2006255338.tif 000004
【図３】
2006255338.tif 000005
【図４】
2006255338.tif 000006
【図５】
2006255338.tif 000007
【図６】
2006255338.tif 000008
【図７】
2006255338.tif 000009